(57)【特許請求の範囲】
【請求項１】
複数個の光切替デバイスを多段接続して構成された光切替装置において、
上記光切替デバイスが、反射モニタ機能を有する複数個の反射モニタ部を備え、
上記反射モニタ部が、上記光切替デバイスに入力された光信号のある経路における反射光を検出し、上記反射モニタ機能を利用することにより、上記反射光の上記経路における反射位置を特定することを特徴とする光切替装置。
【請求項２】
前記反射モニタ部が、
光信号或いは該光信号に対する反射光を分離する光分岐部と、
上記分離された光信号或いは反射光をモニタする光検出器とからなることを特徴とする請求項１に記載の光切替装置。
【請求項３】
前記反射モニタ部が、
光信号のみ通し、反射光は遮断する光アイソレータと、
光信号に対する反射光を分離する光分岐部と、
上記反射光をモニタする光検出器とからなることを特徴とする請求項１に記載の光切替装置。
【請求項４】
前記反射モニタ部が、
光信号を通し、該光信号に対する反射光はサーキュレーション或いはブロックする光サーキュレータと、
上記反射光をモニタする光検出器とからなることを特徴とする請求項１に記載の光切替装置。
【発明の詳細な説明】
【０００１】
【発明の属する技術分野】
本発明は、光切替装置の構成と該装置の反射測定システムに係り、特に複数の光伝送路上を転送される光信号に対する反射光を速やかに検出し通知しうる光切替装置と当該装置内反射光を測定する為の反射測定システムに関する。
【０００２】
【従来の技術】
インターネットに代表されるデータトラヒックの急増や、画像・音声・データからなるマルチメディア通信の需要急増に対応するため、通信網を構成する伝送路と通信ノードの高速化と大容量化が進められ、光ファイバと光信号を使用した光通信装置の導入が進んでいる。更には、従来の光信号を一旦電気信号に変換して処理していた通信装置に代わり、光信号を電気信号に変換せず光信号のまま伝送路切替え／回線切替え等のスイッチング（切替え）処理を実施する光クロスコネクト（以下ＯＸＣと称する）や光アドドロップ多重装置（以下ＯＡＤＭと称する）と呼ばれる光信号処理装置の実用化が検討されている。
【０００３】
上記ＯＸＣやＯＡＤＭは光増幅器、光スイッチ、光カプラ、光アイソレータ等の光部品を適宜選択し、光ファイバやコネクタを介してこれらの部品を組合せて（接続して）構成される。又、光スイッチ等で代表されるように、各部品の大容量化が現状では難しいため、２×２あるいは８×８等の既に実用化された小容量光スイッチを多段に組合せて大容量の光スイッチを実現する等、小容量光部品を多数組合せて大容量の光切替装置を実現するのが一般的である。
【０００４】
上述のように、光切替装置は、多数の光部品や光ファイバをコネクタやスプライスで接続して実現するため、各部品の光損失にともなう光信号劣化が発生するほか、これらの接続点において、汚れ、光軸のずれ、接続先開放等の様々な接続点の状態により光信号の一部が本来進行する方向とは異なる方向に向かってしまう。特に、光信号の本来の進行方向とは逆方向に向かう反射は、光信号の劣化を招いてしまう。
【０００５】
光信号を処理する装置やその構成品である光部品で反射を検出するものは、既にいくつか紹介されており、その一例として特開２０００−３５８２６１号公報に開示されるような、光スイッチの入力端に反射光検出器、受信端に反射器を設置し、入力端からの光信号が反射信号として再度入力端に戻ることで内部の経路の確認を行う構成の光スイッチなどが提案されている。
【０００６】
【発明が解決しようとする課題】
上述したような複数の光部品（光増幅器、光スイッチ、光カプラ、光アイソレータ等）を組合せて構成した光信号処理装置においては、内部のある光部品の接続点で一旦反射が生ずると、この反射光が別の光部品との接続点で再度反射され多重反射光が生じてしまう。
【０００７】
この多重反射光は、元の光信号より遅延した信号のため、送信しようとしている光信号に重なり干渉（光信号の劣化）を起こす。そして、この多重反射光発生に伴う光信号劣化が複数の光部品を組合せて構成した光信号処理装置の運用に大きな影響を与えることが最近本願発明者の調査によって判ってきた。
【０００８】
具体的には、図２に示す光切替装置３００において、光ファイバー３１０−１〜Ｎを介して伝送される（デジタルな）光主信号３７０が入力ポート３３０−Ｎから出力ポート３４０−Ｎへ向かう時、符号３５０に示す反射点１及び符号３６０に示す反射点２において時間遅延した多重反射光３７５が主光信号３７０に重なりコヒーレントなクロストークを起こす、あるいは、光主信号と多重反射光の干渉により装置内部に元々存在しない共振器が形成されたようになり、光信号として波長多重された信号を処理する場合には、▲１▼波長毎の光損失特性が変化してしまう、▲２▼元の信号の波長に揺らぎがあると信号の振幅雑音が発生する、▲３▼波長分散が発生する等、多重反射光発生に伴うさまざまな光信号劣化が複数の光部品を組合せて構成した光信号処理装置の内部でいくつかランダムに発生し、装置の運用に大きな影響を与えることが判ってきた。
【０００９】
すなわち、複数の光部品を組合せて構成した光信号処理装置の実用化にあたっては、装置の組立てあるいは設置あるいは運用中において、装置内部で発生した反射光を確実かつ速やかに検出し、光信号経路の変更あるいは部品交換・修理等の回復措置（保守）を可能とし、装置のリライアビリテイ、アベイラビリテイ、ならびにサービサビリティを向上させるための構成や方法が必要となる。
【００１０】
上記文献では、単純に反射光を検出する構成が記載されているが、複数の光部品を組合せて構成した光信号処理装置で発生する多重反射光を考慮した装置と為すための構成や方法迄は考慮されていない。
【００１１】
本願発明の目的は、上述した課題を解決することにあり、複数の光部品を組合せて構成した光切替装置の内部で発生した反射光を確実かつ速やかに検出したり通知したりすることができる機能を備えた光切替装置を提供することである。そして、光切替装置内部で発生した反射光を確実かつ速やかに検出もしくは通知する方法を提供することである。
【００１２】
さらに、光切替装置の内部で発生した反射光を確実かつ速やかに検出もしくは通知し、光信号経路の変更や部品交換・修理等の回復措置（保守）を可能とし、リライアビリテイ、アべイラビリテイ、ならびにサービサビリティに優れた光切替装置を簡単な構成で提供することである。
【００１３】
そして、光切替装置内部で発生した反射光を確実かつ速やかに検出もしくは通知する方法を簡単な手順で提供し、装置のリライアビリテイ、アベイラビリテイ、ならびにサービサビリティを向上させることも本願発明の目的である。
【００１４】
【課題を解決するための手段】
本発明は、複数個の光入力ポートと複数個の光出力ポートを備えた光切替デバイスにおいて、反射モニタ機能を有する反射モニタ部を複数個前記光入力ポートと前記光出力ポートの間に備えた光切替デバイスを提供することにある。
【００１５】
又、本発明は、複数個の光切替デバイスを多段接続して構成された光切替装置において、前記光切替デバイスは反射モニタ機能を有する反射モニタ部を複数個備え、前記反射モニタ部は前記光切替デバイスに入力される光信号のある経路における反射光を検出し、前記反射モニタ機能を利用することにより該反射光の該経路における反射位置を特定しうることを特徴とする光切替装置を提供することにある。
【００１６】
さらに本発明は、反射測定用のソフトウエアを備えた端末と、光信号のスイッチ制御を行う光切替部を備えた光切替装置と、光信号に対する反射光を測定する反射光測定器と、前記光信号の前記光切替部への入力経路を選択するポート選択器を備え、前記ソフトウエアの実行により、前記反射光測定器、前記ポート選択器、及び前記光切替装置の動作を制御し、前記光信号に対する前記反射光を測定しながら反射位置を特定しうることを特徴とする反射光測定システムを提供することにある。
【００１７】
さらに本発明は、反射検出可能な光切替方法であって、光スイッチ切替を設定し、光接続関係を記憶するステップと、運用管理部から光切替デバイスの搭載されたボードを選択し、反射警報情報を記憶するステップと、前記記憶された前記光接続関係と反射警報情報とから、反射光が発生している部位を特定するステップとを含むことを特徴とする光切替方法を提供することにある。
【００１８】
さらに本発明は、光切替デバイスにおける切替情報及び反射警報情報の設定方法において、前記光切替デバイス内の切替制御部が光スイッチ切替の設定を行い、切替情報レジスタの設定を行うステップと、前記ＣＰＵが反射モニタ回路を選択後、該反射モニタ回路からのモニタ信号をＡＤ変換して監視制御部に転送し、該監視制御部にて反射監視レジスタを設定するステップとを含むことを特徴とする切替情報及び反射警報情報の設定方法を提供することにある。
【００１９】
さらに本発明は、反射測定システムによる光切替部内の反射位置測定方法において、携帯可能な端末による制御下において、ポート選択器に切替命令を送信するステップと、前記端末の制御の基で、光切替部に切替命令を送信するステップと、反射光測定器に測定値を要求するステップと、反射警報管理テーブルと接続管理テーブルを検索し、異常警報位置を決定するステップとを含むことを特徴とする反射位置測定方法を提供することにある。
【００２０】
しかも、本発明は、複数の反射モニタ機能を有する反射モニタ部を複数の光入力ポートと複数の光出力ポート間に備え、前記光入力ポートを介して入力される光信号に対し、前記複数の光入力ポートと複数の光出力ポート間に設けられる光伝送路の特定ポイントにて発生する反射光を前記反射モニタ部にてモニタすることにより、前記光伝送路上の接続ケーブルの異常を速やかに通知しうること特徴とする光切替デバイスを提供することにある。
【００２１】
【発明の実施の形態】
以下、本発明の光信号切替え装置の構成、および、この装置の使用方法の実施形態について、図面を使用して詳細に説明する。尚、図３及び図４における同一符号は同一物又は相当物を示す。図１は、本発明の光信号切替え装置が使用される通信網の構成例を説明する網構成図である。本発明の光信号切替え装置１００（１００−１〜１００−９）は、光ファイバ２００（２００−１〜２００−１２他）で相互接続され通信網を構成する。具体的な使用形態としては、各光フアイバ（２００−１〜２００−５等）から受信した多重化光信号を信号毎に宛先となる光ファイバに切替え多重化出力する光クロスコネクト装置（ＯＸＣ：１００−１，１００−２）や、光フアイバ（２００−５，２００−９）から受信した多重化光信号の中から自装置と接続される装置類に必要な光信号を分離あるいは挿入して配下の光フアイバ（２００−６〜８、２００−１０〜１２）と光信号を送受信する光アドドロップ多重装置（ＯＡＤＭ：１００−３〜１００−９）がある。これら本発明の光信号切替え装置を通信網に要求される適切な多重度と伝送速度を有する光信号を伝送する光ファイバと接続することで通信網が形成されるものである。
【００２２】
尚、本発明の光信号切替え装置は、構成部品を適切に選択することで、様々な伝送速度や光信号の多重度に対応可能な柔軟な構成の通信網が容易に構築できるものである。例えば、光信号はＩＴＵ−Ｔ勧告で定められたＳＴＭ−０（５１．８４ＭＨｚ）以上の速度の光信号でも、変調されていない直流光でも良く、波長多重の有無や波長多重数についても制約されるものではない。例えば、波長多重数が３２で方路数が８の切替え装置では、ＯＸＣのスイッチング規模として２５６×２５６程度が必要となる。この場合、伝送速度が毎秒２．５Ｇｂｉｔや１０Ｇｂｉｔ以上では、電子回路でコンパクトに信号切替装置を実現するのが困難になるため本発明の効果が顕著になる。
【００２３】
図３，図４は光スイッチを多段接続した光切替装置３００のブロック構成図である。
【００２４】
装置制御監視部４０５は、運用管理部４００と通信を行うＩＯ部４１０と、装置制御監視部の全体制御を行うＣＰＵ４１５と、切替情報メモリ部４２０、反射警報情報メモリ４２５、多段に接続されているサーキットボード（ＣＢ）７００−１〜６を導線４３５で接続するＩＯ部４３０とを同一のバス４３６等で接続した構成である。各ＣＢ内には、ボードの制御及び監視を行うボード制御監視部、ＣＢ内の反射光をモニタする反射モニタ回路及びＣＢ内光経路を切り替える光切替部が備えられている。ここで切替情報メモリ部４２０は図１４に示す接続管理テーブルを記憶しており、反射警報情報メモリ４２５は図１２（ａ）、（ｂ）に示す反射警報管理テーブルを記憶している。
【００２５】
ＣＰＵ４１５は、これらの管理テーブルにアクセスしながらＣＢ７００−１〜６の切替処理等の制御を行う。運用管理部４００は、多段接続されたＣＢ７００−１〜６内のボード状態情報、光切替部の切替状態情報、反射モニタ回路部からの反射光発生時における警報情報等をＩ／Ｏ部４３０を介して収集して、各ＣＢへ再度切替設定指示等を行う。多段接続されたＣＢ７００−１〜６は光伝送及び切替用に使用される。多段構成では、いくつかの冗長経路があり、あるＣＢが故障した場合には、当該ＣＢを迂回した経路が使用される。
【００２６】
同図３，図４のシステム構成例では、例えば光主信号６９０−１は伝送経路としてＣＢ７００−１の入力ポート４５５−１−１、光切替部４６５−１、出力ポート４７５−１−１を通り、ＣＢ７００−３の入力ポート４５５−３−１、光切替部４６５−３、出力ポート４７５−３−１を通ってＣＢ７００−５の入力ポート４５５−５−１、光切替部４６５−５、出力ポート４７５−５−１を伝送される。
【００２７】
図３の場合、ＣＢ７００−３の入力ポート４５５−３−１にて反射点が存在し反射光が反射モニタ４７０−１−１及び４６０−１−１にてモニタされると、図１３（ａ）の反射警報管理テーブルにおけるＣＢ１の入力側及び出力側のいずれに対しても異常状態が書き込まれる。そのモニタ結果に基づいて、保守員等が反射の発生している箇所の光ケーブルやＣＢを別のものに交換することも可能である。
【００２８】
図５は、図３、図４にて説明した光切替装置内に具備されているＣＢ７００−１〜６の１つを詳細に説明したブロック構成図である。図５において、ＩＯ部７１０、ボード制御監視部全体の制御を行うＣＰＵ７１５、切替情報レジスタ部７２０、反射監視用レジスタ７２５、光切替部のスイッチ切替を制御する切替制御部７３０、監視制御部７６５、ＡＤ変換部７３５及び７７０、及び光切替部を駆動する駆動部７５５はバス７１３を介して接続されボード制御監視部４４０−Ｘを構成する。当該監視制御部７６５は、反射光検出器７５０−１〜Ｎ、７７５−１〜Ｎからの検出信号をＡＤ変換部７３５、７７０を介してＡ／Ｄ変換し、得られたデジタル信号をモニタする。
【００２９】
ここで、反射光検出器７５０−１〜Ｎ、７７５−１〜Ｎは、光カプラ等から構成される光分岐部７４５−１〜Ｎ及び７８０−１〜Ｎにより分岐されてくる主信号から生じる反射光をモニタしてＡＤ変換部７３５、７７０にモニタ信号として送信する。切替情報レジスタ部７２０、反射監視用レジスタ７２５の動作については、図１１に示すフローチャートにて後述する。
【００３０】
駆動部７５５および切替え制御部７３０は、光切替部４６５−Ｘの入力ポート４５５−Ｘ−１〜Ｎから出力ポート４７５−Ｘ−１〜Ｎまでの光転送経路の設定を行う。
【００３１】
さらに、光分岐部７４５−１〜Ｎ、７８０−１〜Ｎ及び反射光検出器７５０−１〜Ｎ、７７５−１〜Ｎを組み合わせた回路４６０−Ｘ−１〜Ｎ或いは４７０−Ｘ−１〜Ｎ（図５にて破線にて示される）は図３，図４に示す各ＣＢ内の反射モニタ回路（或いは反射モニタ部）４６０−１−１〜４７０−６−Ｎに該当する。ここで、上述した符号Ｘには１〜６の数値が各々該当する。さらに、当該反射モニタ部はＣＢに搭載されている光切替デバイスに入力される光信号のある光転送経路における反射光を検出し、反射モニタ機能を利用することにより反射光の経路における反射位置を特定しうる。
【００３２】
図７から図９には先述した図５のＣＢ７００に搭載されている光切替デバイスに具備される反射モニタ部を構成する光検出器７５０及び光分岐部の具体的構成例を示す。
【００３３】
図７に示す反射モニタ部では、光分岐部１０００（光主信号或いは光主信号に対する反射光を分離するために設けられている）に入力される光主信号１０１５−１の光パワーモニタ用の光検出器１０１０と光主信号１０１５−１又は１０１５−２に対する光コネクタにおける反射光１０２０−１又は１０２０−２をモニタする光検出器１００５が設けられている。この構成により、入力パワーに対する反射光パワーの比が正確に反射損失量として求められる。
【００３４】
図８に示す反射モニタ部は、光アイソレータ１１００、光信号に対する反射光を分離する光分岐部１１０５、光検出器１１１０を組み合わせた構成例を示す。光アイソレータ１１００は光主信号のみを通し光主信号１１１５−１に対し光コネクタにて生じる反射光１１２０−１を遮断する為に設けられている。当該光アイソレータ１１００を備えることにより反射光が検出器１１１０より手前（或いは図面では向かって左側）に進まない。光検出器１１１０の機能は図７でも前述した通り、反射光１１２０−３をモニタする為に備えられている。
【００３５】
図９に示す反射モニタ部は、光信号を通し、該光信号に対する反射光をサーキュレーション或いはブロックする光サーキュレータ１２００と光検出器１２０５の組み合わせを示す構成例である。光主信号１２１０−１は当該光サーキュレータ１２００を通って光コネクタ等に入り、コネクタにて発生する反射光１２１５−２を時計周りにサーキュレーションして光検出器１２０５に送り、モニタさせる。この光サーキュレータ１２００の特徴は、前述した光分岐部にて使用される光カプラと比べ光量の損失が無い為、反射光のパワーを弱めないという利点がある。
【００３６】
図１０は図３、図４の光切替装置のシステム構成における切替処理と反射警報の収集、及び異常箇所の探索のフローチャートを示している。処理１は切替処理を、処理２は反射警報の収集をそれぞれ示し、処理３は反射警報位置等を検索・計算する処理を示す。
【００３７】
まず、処理１にて、図３、図４の運用管理部４００からの指示でＣＰＵ４１５は光スイッチ切替設定を行い（ステップ１０）、ＣＰＵ４１５は多段接続されたＣＢに搭載されている光切替デバイスに対し切替命令を転送し（ステップ１１）、切替設定を完了する（ステップ１２）。その後、光切替デバイスから転送されてくる切替情報に基づいて切替情報メモリ４２０に格納された図１４に示す接続管理テーブルの内容を更新し（ステップ１３）、全設定について切替完了であれば、処理１を終了する。切替未完了のときは、ステップ１０に戻り、ＣＰＵ４１５は運用管理部４００からの指示による切替設定処理を再度行う。
【００３８】
次に処理２にて、ＣＰＵ４１５はサーキットボード（ＣＢ）の選択を行い（ステップ３０）、反射警報取得を要求すると（ステップ３１）、選択されたＣＢに搭載されている光切替デバイスから反射警報の情報等がＣＰＵ４１５を通して運用管理部４００に転送される（ステップ３２）。同時に、反射警報情報メモリ４２５に格納された図１３に示す反射警報情報テーブルの内容が更新される（ステップ３３）。例えば、反射警報が有りの場合、反射警報として“１”をメモリ４２５のテーブルに書き込む。全ＣＢに対し、処理２の監視処理を終了後、処理２を終了する。未終了ならば、ステップ３０から再度開始する。
【００３９】
最後に処理３にて、処理１及び２を通して反射警報が無い場合、処理を終了する。警報が有った場合、図１３の反射警報管理テーブルを検索し（ステップ２０）、全警報位置を検出し（ステップ２１）、図１４の接続管理テーブルを探索し（ステップ２２）、異常可能性のある光接続経路を選出し（ステップ２３）、その接続経路での反射が発生している最後方接続を決定後、発生箇所を運用管理部４００に通知する（ステップ２４）。全反射警報について最後方接続の決定及び通知を行ったら、処理３を終了するが、未検索の場合、処理３を再度行う。
【００４０】
図１１は図３、図４のシステム構成における各ＣＢの詳細を示している図５のＣＰＵ７１５、切替制御部７３０、監視制御部７６５、切替情報レジスタ部７２０、反射監視用レジスタ７２５等の動作フローを示した図である。
【００４１】
処理１にて、切替制御部７３０は光切替部のスイッチ切替を設定し（ステップ４０）、ＣＰＵ７１５がその切替情報に基づいて切替情報レジスタ部７２０の設定を行い（ステップ４１）、全設定の切替を完了したら（ステップ４２）、処理を終了する。未完了の場合、ステップ４０に戻り、再度切替設定を行う。尚、これらの処理や設定は装置制御監視部４０５が直接行ってもよい。尚、これらの処理や設定は装置制御監視部４０５が直接行ってもよい。
【００４２】
又、処理２にて、ＣＰＵ７１５は反射モニタ回路を選択し（ステップ５０）、指定された反射モニタ回路からのＡＤ変換された出力値とＣＰＵ７１５、監視制御部７６５或いは反射監視用レジスタ７２５に記憶されている閾値を比較し（ステップ５１）、監視制御部７６５内メモリに異常の場合（すなわち、閾値より小さい時）は“１”を、正常の場合は“０”を書き込み、反射監視レジスタを設定する（ステップ５２）。全モニタ回路について設定完了したら（ステップ５３）、処理２を終了する。それ以外はステップ５０にもどる。
【００４３】
図１３（ａ），（ｂ）は反射警報管理テーブルを示す。当該テーブルは、図３，図４の反射警報情報メモリ４２５に格納されており、光切替装置３００のシステム構成（図３、図４）において多段接続された光切替部が搭載されるサーキットボード（ＣＢ１〜６）毎に入力側・出力側ポート１からＮにおいて発生する反射光の有無を異常或いは正常の状態情報にて表現している。当該テーブルではＣＢ１、３、５が図３、図４のシステム構成のＣＢ７００−１、３、５に該当し、ＣＢ２、４、６がＣＢ７００−２、４、６に該当する。
【００４４】
各ＣＢの入出力ポート１〜Ｎにおける状態情報（すなわち、正常或いは異常）は図３，図４のＣＰＵ４１５にてモニタされ、その状態情報によりＣＢ内光切替部の切替が実施される。ここで、図１３（ａ）の管理テーブルは、図３のシステム構成図のＣＢ７００−３における入力ポート４５５−３−１にて反射点が存在し、反射光がモニタされたことを示している。又、図１３（ｂ）の管理テーブルは、図４のシステム構成図のＣＢ７００−３における光切替部４６５−３にて反射点が存在し、反射光がモニタされたことを示している。
【００４５】
図１４の接続管理テーブルは図３、図４に示す切替情報メモリ４２０に格納されており、図１３（ａ），（ｂ）にて前述したＣＢ１〜６の各ＣＢ内部の入出力ポート間接続情報及びＣＢ／ＣＢ間のポート接続情報を示している。例えば、当該テーブルによれば、ＣＢ１内は入力ポート１に対し出力ポート１が内部にて接続され、入力ポートＮに対し出力ポート１が接続されている。ＣＢ間接続はそれぞれＣＢ１及びＣＢ３或いはＣＢ４間、ＣＢ２及びＣＢ３或いはＣＢ４間、ＣＢ３及びＣＢ５或いはＣＢ６間、ＣＢ４及びＣＢ５或いはＣＢ６間の接続情報を示している。
【００４６】
この接続管理テーブルの接続状態は、図３，図４のＣＢ１〜６の光ケーブル配線内容に準じている。この接続管理テーブルも図１３の反射警報情報テーブルと同様に図３，図４のＣＰＵ４１５にてモニタされる。
【００４７】
図３の場合において、フローチャート（図１０）に従い、反射警報管理テーブル（図１３（ａ））、接続管理テーブル（図１４）を利用して、反射点位置の同定を行うことが可能である。即ち、図１３（ａ）では、ＣＢ１の反射モニタ４６０−１−１及び４７０−１−１からの異常警報が上がっており、ＣＢ３の反射モニタ４６０−３−１から異常警報が上がっていないことから、図１４の接続管理テーブルを参照すると、ＣＢ１出力ポート１−＞ＣＢ３入力ポート１のファイバ及びコネクタに異常があると考えられる。また、図４の場合には、図１３（ｂ）でＣＢ３の反射モニタ４６０−３−１からも異常警報が上がっていることから、図１４の接続管理テーブルを参照して、ＣＢ３内部の入力ポート１から出力ポート１への接続経路内に異常があると考えられる。このようにして、反射警報管理テーブルと接続管理テーブルを管理して、図１０のようなフローチャートに従えば障害の同定が可能となる。障害同定の結果、警報を発したり、他の正常経路への切替が可能となる。
【００４８】
図６は反射測定用プログラム８７０などのソフトウエアを内蔵した携帯可能な端末であるパーソナルコンピュータ（ＰＣ）８０１、光切替装置３００、外付けの反射光測定器８００及びポート選択器８３０との組み合わせにより、反射測定機能を提供するための構成図を示している。ここで、ＰＣ８０１はＩ／Ｏケーブル８７７−１を介し、反射測定用プログラム８７０を実行させ、光切替装置３００、ポート選択器８３０及び反射測定器８００にバス８７７を介し反射測定の指示を行う。
【００４９】
反射光測定器８００にはテスト用光源８２０としてレーザダイオード等が具備されポート選択器８３０を介して、例えばポート９２５−１を選択して光切替部に光主信号８８０−２を転送する。ポート選択器８３０にて光切替部のポート９３０−１からの反射光８８５−１を受信し、反射光測定器８００内の反射光分離部８２５にポート９１５を介して返送する。
【００５０】
ここで、ポート選択器８３０内の制御部８４０はバス８７７を介して送信されてくる指示情報によりポート選択を行うポート選択部を制御し、ＩＯ部８３５はバス８７７を通して光切替装置内の装置制御監視部８５０及び反射光測定器８００と接続されている。
【００５１】
反射光測定器８００内の制御監視部８１０は反射光分離部８２５にて分離された反射光８８５−４を光検出部８１５にてモニタした後、そのモニタ信号を監視する。当該制御監視部８１０はバス８７７を介して送信されてくる指示情報により測定器８００内部の制御を行う一方で、反射測定の為の反射測定プログラム８７０を内蔵することも可能である。
【００５２】
光切替装置３００内の装置制御監視部８５０は外部接続機器である反射光測定器８００及びポート選択器８３０への測定指示を行うＩ／Ｏ部８５５、同光切替装置３００内の光切替部８５１への切替指示を行うＩ／Ｏ部８９９、光切替装置３００全体の制御を行うＣＰＵ８６０、光切替部の光接続関係を格納している切替情報メモリ８６５、図１３（ａ），（ｂ）の反射警報管理テーブルを格納し反射光測定器から転送されて来る反射光に関する警報情報等を記憶している反射警報情報メモリ８７５とがバス８５６等で接続されて構成される。尚、光切替部８５１が複数のボードから構成された図３、図４と同等の場合、切替情報メモリ８６５には図１４に示す接続管理テーブルが格納される。反射測定用のテストプログラムを格納している反射測定プログラム部８７０‘は光切替装置３００内に備えられることも可能であり、その場合はポート選択器８３０、反射測定器８００に測定指示を発信し、当該プログラムを実行させることによりバス８７７を通して測定器８００からのテスト結果等を参照して光切替部を制御する。ここで、光切替部の出力ポート９３５−１〜４は測定中は光アイソレータなどで終端している。
【００５３】
図１２は、図６に示す反射光測定システムにおいてＣＰＵ８６０の制御下で動作する各ブロックの処理フローを示す。ＰＣ８０１の反射測定プログラム実行の環境下において、光切替装置３００内ＣＰＵ８６０はポート選択器８３０に切替命令を転送し（ステップ６０）、光切替部に切替命令を転送し（ステップ６１）、反射測定器８００に反射測定値取得要求を指示し（ステップ６２）、反射測定器８００からの反射測定値転送（ステップ６３）後、反射警報情報メモリ８７５或いはＣＰＵ８６０に記憶されている閾値と当該反射測定値を比較し（ステップ６４）、閾値より測定値が小さい時は、異常として“１”を、それ以外の場合は正常として“０”を反射警報情報メモリ８７５に書き込み更新し（ステップ６５）、光切替部の全経路について測定が完了（ステップ６６）したら、メモリ８７５を参照し反射警報が有りの場合に反射警報有りと設定する（ステップ６７）。反射警報が無い場合、開始位置（スタート）に戻る。その後、図１３の反射警報管理テーブルに類似した光切替部８５１（図６）の入出力ポート毎に反射光の発生状態（正常或いは異常等にて表示）を示すテーブルを検索し（ステップ６８）、異常の有る全反射警報位置を検出し（ステップ６９）、図１４の接続管理テーブルに類似した光切替部８５１（図６）の入出力ポート毎の接続状態を示すテーブルを探索し（ステップ７０）、異常可能性のあるケーブル接続を選出し（ステップ７１）、その接続ケーブルの反射が発生している最後方接続を決定する（ステップ７２）。全反射警報について検索が終了したら、処理終了とする。それ以外はステップ６７にもどる。
【００５４】
【発明の効果】
以上に述べてきた本発明によれば、信号劣化の要因となる反射を容易に検出出来るので、インストールや保守等が容易である。さらに、複数の光部品を組合せて構成した光切替装置の内部で発生した反射光を確実かつ速やかに検出したり通知したりすることができる機能を備えた光切替装置を提供可能である。そして、光切替装置内部で発生した反射光を確実かつ速やかに検出もしくは通知する方法を提供できる。
【００５５】
又、光切替装置の内部で発生した反射光を確実かつ速やかに検出もしくは通知し、光信号経路の変更や部品交換・修理等の回復措置（保守）を可能とし、リライアビリテイ、アべイラビリテイ、ならびにサービサビリティに優れた光切替装置を簡単な構成で提供できる。
【００５６】
そして、光切替装置内部で発生した反射光を確実かつ速やかに検出もしくは通知する方法を簡単な手順で提供し、装置のリライアビリテイ、アベイラビリテイ、ならびにサービサビリティを向上可能である。
【００５７】
さらに、反射防止回路（アイソレータ）と組み合わせることで、反射している箇所の限定が可能であり、サーキュレータを利用することで、反射光の利用効率が良く、光パワーモニタの設計が容易になる。
【００５８】
しかも、サーキュレータを利用することで、反射防止回路を同時に備えることが可能である。
【図面の簡単な説明】
【図１】本発明の光切替装置を備えた通信網の構成例を示す図である。
【図２】光切替装置で発生する反射光の影響を説明する図である。
【図３】本発明の多段接続された光切替デバイスを備えた光切替装置において、反射光による異常警報が発生した一例を示す図である。
【図４】本発明の多段接続された光切替デバイスを備えた光切替装置において、反射光による異常警報が発生した他の例を示す図である。
【図５】本発明の光切替デバイスのブロック構成例を示す図である。
【図６】光切替装置の反射光を測定する測定器及びポート選択器を外部に設けた構成例を示す図である。
【図７】本発明の光切替デバイスに具備されている光分岐部及び光検出器の１構成例を示す図である。
【図８】本発明の光切替デバイスに具備されている光分岐部、光アイソレータ及び光検出器の１構成例を示す図である。
【図９】本発明の光切替デバイスに具備されている光サーキュレータ及び光検出器の１構成例を示す図である。
【図１０】本発明の図３及び図４のシステム構成に基づく動作フローを示す図である。
【図１１】本発明の図４のブロック構成例に基づく動作フローを示す図である。
【図１２】本発明の図５の構成例に基づく動作フローを示す図である。
【図１３】本発明の反射警報情報テーブルを示す図である。
【図１４】本発明の接続管理テーブルを示す図である。
【符号の説明】
７８０−１・・Ｎ、７４５−１・・Ｎ…光分岐部、７７５−１・・Ｎ…光検出器、４６０−１〜Ｎ、４７０−１〜Ｎ、５３５−１〜Ｎ、５４５−１〜Ｎ…反射モニタ、７２０…切替情報レジスタ、７２５…反射監視用レジスタ、７３０…切替制御部、７６５…監視制御部、７０５…ボード制御監視部。
【図１】
0004676099.tif 000002
【図２】
0004676099.tif 000003
【図３】
0004676099.tif 000004
【図４】
0004676099.tif 000005
【図５】
0004676099.tif 000006
【図６】
0004676099.tif 000007
【図７】
0004676099.tif 000008
【図８】
0004676099.tif 000009
【図９】
0004676099.tif 000010
【図１０】
0004676099.tif 000011
【図１１】
0004676099.tif 000012
【図１２】
0004676099.tif 000013
【図１３】
0004676099.tif 000014
【図１４】
0004676099.tif 000015